(57)【要約】【課題】物干し竿等への吊り掛け、及び壁等のへの吊り掛けの両方の吊り掛けが可能で、しかも両者の切り換えを容易に行うことができる物干し器を提供する。【解決手段】本発明に係る物干し器は、洗濯物を吊り下げる物干し本体１と、物干し本体１の一端部側及び他端部側それぞれに両端部が接続され、所定間隔をおいて配置される２本の線条体３，５と、物干し本体１の上方に配置され、２本の線条体３，５の中間部同士を連結する連結具７と、連結具７に取り付けられたフック９とを備え、連結具７は、線条体３，５に沿って移動可能に係合しており、線条体３，５上の任意の位置に固定されるように構成されている。【選択図】  図４
2007143891.tif 000002
【特許請求の範囲】
【請求項１】
洗濯物を吊り下げる物干し本体と、
前記物干し本体の一端部側及び他端部側それぞれに両端部が接続され、所定間隔をおいて配置される２本の線条体と、
前記物干し本体の上方に配置され、前記２本の線条体の中間部同士を連結する連結具と、
前記連結具に取り付けられた吊掛具とを備え、
前記連結具は、前記線条体に沿って移動可能に係合しており、
当該線条体上の任意の位置に前記連結具を固定する固定機構が、前記連結具に設けられている、物干し器。
【請求項２】
前記固定機構は、前記線条体に係止する係止部材を備えており、当該係止部材によって前記連結具が前記線条体に固定される、請求項１に記載の物干し器。
【請求項３】
前記固定機構は、内管及び外管からなる二重管で構成された基部を有するとともに、当該基部にはその内外に連通し、前記内管及び外管を貫通する二対の孔が形成され、
前記各線条体は、２つの前記孔を介してその一部が前記基部の内部を通過しており、
前記内管は、前記外管の内部で回転自在に支持されており、前記内管の回転により、前記外管及び内管において対応する孔の位置がずれることで前記線条体を挟み、前記基部に前記線条体が固定される、請求項１に記載の物干し器。
【請求項４】
前記物干し本体は、平面視矩形状に形成され、前記各線条体の両端部は、前記物干し本体の角部にそれぞれ接続されている、請求項１から３のいずれかに記載の物干し器。
【発明の詳細な説明】
【技術分野】
【０００１】
本発明は、洗濯物を干すための物干し器に関する。
【背景技術】
【０００２】
従来より、洗濯物を干すための物干し器として、種々のものが提案されている。一般的な物干し器は、洗濯物を挟む複数の洗濯バサミが吊り下げられた枠体からなる物干し本体を有しており、この物干し本体が複数のチェーンによって上方から支持されている。また、各チェーンの端部はフックに固定されており、このフックを物干し竿などに吊り掛けることで、洗濯物を干すようになっている。このような物干し器は屋外で物干し竿等に吊り掛けることが想定されているため、通常、複数のチェーンは同じ長さに形成され、これによってフックが物干し本体中央の上方に位置するようになっている。そのため、物干し本体は、水平な状態で吊り掛けられることになる。
【０００３】
しかしながら、雨天の場合、物干し器は屋内の壁などに掛けて使用されることもある。この場合、フックは壁に引っ掛けられるため、物干し本体の端部が壁に接触してしまい、フックは中央上方からずれた位置に配置される。このような状態になると、物干し本体は水平に支持されず、傾いた状態で支持されることになる。そのため、洗濯物同士が接触し、乾きにくくなるという問題が発生する。
【０００４】
これを解決するため、特許文献１には、次のような物干し器が開示されている。この物干し器は、物干し本体を吊るすチェーンの代わりに、長さを変更可能な連結体を使用している。より詳細には、４本の連結体の一端部を矩形状の物干し本体の角にそれぞれ接続するとともに、他端部をフックに接続している。そして、物干し本体の一端側に接続された一対の連結体の長さを変更できるように構成している。この連結体は、一対の帯状の連結杆からなり、フックが物干し本体の中央上方に配置される通常の状態では、これら連結杆を重ねた状態にしておく。一方、連結体を長くする場合には連結杆の端部同士を接続することで２倍の長さにして使用する。このように、物干し本体の一端側の２つの連結体を長くすることで、フックは物干し本体の中央から他端側にずれた位置に配置されるようになる。こうすることで、フックを壁に掛けて物干し本体の他端側が壁に接触した状態になっても、物干し本体は水平な状態で吊り掛けられるため、洗濯物同士が接触するのを防止すめことができる。
【特許文献１】特開２００３−２４６９５号公報
【発明の開示】
【発明が解決しようとする課題】
【０００５】
ところで、上記連結体は、一方の連結杆に設けられたピンを他方の連結杆に形成された孔に嵌合することで、両者を連結している。したがって、連結体の長さを変更する場合には、その都度ピンを孔から取り外し、他の孔に嵌める必要がある。そのため、連結体の長さの変更が非常に面倒であり、時間を要するという問題があった。
【０００６】
本発明は、上記問題を解決するためになされたものであり、物干し竿等への吊り掛け、及び壁等への吊り掛けの両方の状態において水平な吊り掛けが可能で、しかも両者の切り換えを容易に行うことができる物干し器を提供することを目的とする。
【課題を解決するための手段】
【０００７】
本発明に係る物干し器は、上記問題を解決するためになされたものであり、洗濯物を吊り下げる物干し本体と、前記物干し本体の一端部側及び他端部側それぞれに両端部が接続され、所定間隔をおいて配置される２本の線条体と、前記物干し本体の上方に配置され、前記２本の線条体の中間部同士を連結する連結具と、前記連結具に取り付けられた吊掛具とを備え、前記連結具は、前記線条体に沿って移動可能に係合しており、当該線条体上の任意の位置に前記連結具を固定する固定機構が、前記連結具に設けられている。
【０００８】
この構成によれば、物干し本体を吊り下げる２本の線条体の両端を物干し本体の一端部側及び他端部側にそれぞれに接続し、両線条体の中間部同士を連結具に接続している。このとき、連結具は線条体に係合しつつ線状体に沿って移動可能であり、且つ固定機構により、線条体上の任意の位置に固定できるようになっている。そのため、連結具の位置を物干し本体の中央上方に配置したり、そこからずれた位置に配置することが可能となる。
【０００９】
したがって、壁や障害があるような場合に物干し本体の中央からずれた位置で吊掛具を引っ掛けるような場合でも、上記のように連結具の位置をずらして配置できるため、物干し本体を水平状態で吊り下げることができる。その結果、吊り下げた洗濯物同士が接触するのを確実に防止することができる。また、線条体を連結具に沿って移動させ、任意の位置で線条体に連結具を固定するだけで、連結具を物干し本体の中央上方またはそこからずれた位置に配置することができる。そのため、連結具を物干し本体の中心からずれた位置に配置したい場合に、その切り換えを容易に行うことができる。
【００１０】
なお、本発明における「線条体の中間部」とは、厳密な中間位置を指すのではなく、線条体の両端部の間の任意の位置を指す。
【００１１】
連結具を線条体に固定するための固定機構は、種々の態様に構成することができるが、例えば、線条体に係止する係止部材を設け、この係止部材が線条体に係止することで、連結具が線条体に固定されるように構成することができる。或いは、線条体及び連結具の両者に係止する係止部材を連結具に取り付けるようにすることもできる。また、より具体的には、次のような構成も可能である。すなわち、固定機構に、内管及び外管からなる二重管で構成された基部を設けるとともに、この基部にはその内外に連通し、内管及び外管を貫通する二対の孔を形成し、各線条体が、２つの孔を介してその一部が基部の内部を通過するようにし、内管を外管の内部で回転自在に支持し、内管の回転により、外管及び内管において対応する孔の位置がずれることで線条体を挟み、基部に線条体が固定されるように構成することができる。
【００１２】
また、物干し具本体を、平面視矩形状に形成し、各線条体の両端部を、物干し具本体の角部にそれぞれ接続することが好ましい。
【発明の効果】
【００１３】
本発明に係る物干し具によれば、物干し竿等への吊り掛け、及び壁等への吊り掛けの両方の吊り掛けが可能で、しかも両者の切り換えを容易に行うことができる。
【発明を実施するための最良の形態】
【００１４】
以下、本発明に係る物干し器の一実施形態について図面を参照しつつ説明する。図１は本実施形態に係る物干し器の側面図、図２は図１の平面図である。なお、本実施形態では、図１の左側及び図２の上方を「前」、図１の右側及び図２の下方を「後」と称することとする。また、後述する図６及び図７についても同様である。
【００１５】
図１及び図２に示すように、本実施形態に係る物干し器は、洗濯物を吊り下げる物干し本体１と、これを吊り下げる２本の線条体、つまり第１線条体３及び第２線条体５とを備えている。本実施形態では、第１線条体３が図２の左側に配置され、第２線条体５が右側に配置されている。各線条体３，５は、Ｖ字形に曲げられて、その中間部同士が連結具７に接続されている。また、この連結具７の上面には物干し器を吊り掛けるためのフック（吊掛具）９が取り付けられている。物干し本体１は、長方形状のフレーム１１と、このフレーム１１の内部に掛け渡された複数の補強用枠部１３，１４とを備えている。図２に示すように、本実施形態では、フレーム１１の長辺と平行な４つの補強用枠部１３と、フレーム１１の短辺と平行な４つの補強用枠部１５とが組み合わされて配置されているが、任意の組み合わせが可能である。そして、フレーム１１及び補強用枠部１３，１５には、洗濯物を挟む複数の洗濯バサミ１７が吊り下げられている。
【００１６】
図２に示すように、各線条体３，５は、所定間隔をおいてフレーム１１の両側それぞれに取り付けられている。つまり、各線状体３，５の両端部それぞれがフレーム１１の短辺の両端（前側（一端部側）と後側（他端部側））付近に接続されている。ここで、フレーム１１の角部付近には係止リング１９が設けられており、この係止リング１９に各線条体３，５の端部が接続されている。そして、各線条体３，５は、Ｖ字形を形成するように曲げられてフレーム１１の中心付近まで延び、その中間であるＶ字形の頂部が連結具７に係合している。
【００１７】
各線条体３，５は、２つの連結棒２１，２３をチェーン２７によって接続することで構成されている。より詳細には、図２に示すように、前側及び後側の各係止リングに連結棒２１，２３がそれぞれ接続されるとともに、これら連結棒２１，２３がチェーン２７によって接続されている。そして、このチェーン２７に沿って連結具７が移動可能となっている。
【００１８】
次に、図１〜図５を参照しつつ、連結具について説明する。図３は連結具の斜視図、図４は連結具の横断面図であり、図５は連結具の縦断面図である。なお、図４（ａ）は連結具が線条体に沿って移動可能な状態にある図であり、図４（ｂ）は連結具が線条体に固定された状態を示す図である。
【００１９】
図３〜図５に示すように、連結具７は、下部が開口する円筒状に形成された基部（固定機構）３３を備えており、この基部３３は内管３４及び外管３５からなる二重管で構成されている。そして、内管３４は外管３５の内部で同じ軸周りに回転自在に支持されている。また、内管３４の下端縁には、フランジ３６が形成されている。このフランジ３６は、外管３５の下端縁から径方向外方へ突出しており、外管３５に対して内管３４を回転させる際の把持部を構成している。また、図４に示すように、基部３３には、二対の孔が形成されており、各孔は内管３４及び外管３５を貫通している。ここで、図４の左側に配置されている一対の孔について、外管３５及び内管３４にそれぞれ形成されている孔を第１外管孔３７ａ、第１内管孔３９ａと称することとする。また、図４の右側に配置されている一対の孔について、外管３５及び内管３４にそれぞれ形成されている孔を第２外管孔３７ｂ、第２内管孔３９ｂと称することとする。
【００２０】
また、図４に示すように、第１線条体３のチェーン２７は、その一部が一対の第１外管孔３７ａ及び第１内管孔３９ａを介して基部３３の内部に入り込んでおり、これによって連結具７が線条体３に沿って移動可能に連結されている。一方、第２線条体５のチェーン２７も、同様に、その一部が一対の第２外管孔３７ｂ及び第２内管孔３９ｂを介して基部３３の内部に入り込んでいる。内管３４は、外管３５に対して回転自在であるが、所定の位置で固定可能となっている。そのような機構としては、例えば内管３４と外管３５とを凹凸嵌合で固定したり、或いは単に強い力でなければ回転できないようにしておく等、種々の構成にすることができる。そして、図４（ａ）の状態から、内管３４を回転させて、孔３７，３９をずらすことで、チェーン２７を連結具７に固定することができる。すなわち、図４（ｂ）に示すように、位置がずれた内管孔３７及び外管孔３９の内周縁でチェーン２７を挟んで固定している。このとき、内管３４は上述したような機構で、外管３５に対して動かないようになっている。
【００２１】
ところで、本実施形態に係る物干し器は、屋外での物干し竿等に引っ掛けて使用する場合のみならず、例えば屋内で壁に掛けて使用することも可能となっている。まず、屋外で使用する場合、図１に示すように、この物干し器は、フック９が物干し本体１のほぼ中央の上方に位置するように吊り掛けられる。この場合、図２に示すように、連結具７は、Ｖ字形に折り曲げられた各線条体２、３の中心に固定されるようになるため、線条体３，５によって結ばれる連結具７と係止リング１９との間の４箇所の部分は、ほぼ同一の長さになっている。
【００２２】
一方、物干し器を壁に掛ける場合には、図６及び図７のような状態にする。図６は物干し器の側面図、図７は図６の平面図である。図６に示すように、物干し本体１の後端が壁Ｗに当接する場合、物干し本体１が水平状態で吊り掛けられるためには、線条体３，５が緩まずに張っている状態で、連結具７が物干し本体１の後端の上方に配置される必要がある。そのためには、線条体３，５が、連結具７を挟んで、前側が長く、後側が短くなるように配置されなければならない。本実施形態では、図７に示すようにチェーン２７に沿う連結具７の位置を調節して、連結具７が物干し本体１の後端の上方に配置されているようにしている。その結果、図６及び図７に示すように、フック９を壁Ｗに吊り掛けたとき、チェーン２７の連結具７より後側の部分はフレーム１１の後側の長辺に沿って延び、これによって連結具７が物干し本体１の後端部上方に配置されるようになる。
【００２３】
次に、上記のように構成された物干し具の使用方法について説明する。まず、屋外で物干し竿などにこの物干し器を吊り掛ける場合、つまり物干し竿の周囲に障害が無く、図１及び図２に示すように、フック９及び連結具７を物干し本体１の中央上方に配置できる場合には、連結具７をチェーン２７に沿って移動し、チェーン２７のほぼ中央に位置するところで固定する。すなわち、図４（ｂ）に示すように、内管３４のフランジ３６を把持して回転し、内管孔３７と外管孔３９とをずらすことによってチェーン２７を挟んで動かないようにする。この状態で、フック９を物干し竿等に吊り掛ければ、連結具７が物干し本体１の中央上方に配置されるとともに、物干し本体１が水平な状態で吊り下げられる。
【００２４】
一方、図６及び図７に示すように、物干し器を屋内で壁に掛ける場合には次のように操作する。まず、図４（ａ）に示すように、内管３４を回転させて内管孔３７と外管孔３９とを一致させることで、チェーン２７の固定を解除する。この状態で、連結具７を両チェーン２７に沿って後端側へ移動させる。そして、図７に示すように、連結具７が物干し本体１後端の上方に位置するところで、チェーン２７と連結具７とを固定する。固定の方法は、上述したとおりである。このとき、各線条体３，５は、連結具７を挟んで前側が長く、後側が短くなり、フック９を壁に掛けて線条体３，５が緊張したときには、連結具７及びフック９が物干し本体１の後端上方に位置する。その結果、物干し本体１は水平に支持される。
【００２５】
以上のように、本実施形態によれば、線条体３，５を連結具７に沿ってスライドさせ、所望の位置で連結具７をチェーン２７に固定するだけで、連結具７を物干し本体１の中央上方または後端上方に配置することができる。そのため、物干し器を壁に掛ける場合に、その切り換えを非常に容易に行うことができる。特に、本実施形態では、内管３４を外管３５に対して回転させるだけでチェーン２７の固定及びその解除を行うことができるため、連結具７の移動及び固定を容易に、しかも迅速に行うことができる。また、連結具７はチェーン２７上のいずれの位置にも固定できるため、連結具７を物干し本体１の後端上方以外の位置に配置することもできる。例えば、壁にカーテンレールなどが配置され、これに物干し器を吊り掛ける場合には、フック９が物干し本体１の後端よりもやや前側に配置されるため、連結具７の位置は必ずしも物干し本体１の後端上方になくてもよく、物干し本体１の中央から後端の間の適当な位置に配置されていればよい。したがって、従来例では、連結具が延びる長さが決まっていたため、フックの配置される位置も決まっていたが、本実施形態に係る物干し器では、フック９を物干し本体１上の任意の位置、つまり前後方向の任意の位置に配置できるため、物干し器を干す場所に柔軟に対応することができる。
【００２６】
また、本実施形態に係る物干し器は、従来例と比べて次のような利点もある。
すなわち、従来例で示した物干し器は、線条体（連結体）の一部を長くすることで物干し本体に対する連結具の位置を変更するように構成しているが、このようにすると、物干し器を壁に吊り掛けたとき、フックから物干し本体までの鉛直方向の距離が長くなるため、物干し本体から床までの距離が短くなる。そのため、洗濯物によっては、その下端部が床に接触することもあり、長い洗濯物を干すことができないという問題が生ずる。しかしながら、本実施形態の物干し器は、線条体３，５の一部を長くするのではなく、線条体３，５上の連結具７の位置を変更することで、物干し本体１に対する連結具７の位置を変更している。したがって、線条体３，５の全長が変わらないため、このような位置の変更が行われても、物干し本体１から連結具７までの鉛直方向の距離はほぼ同じであり、長い洗濯物を干すことも可能である。
【００２７】
以上、本発明の一実施形態について説明したが、本発明は上記実施形態に限定されるものではなく、その趣旨を逸脱しない限りにおいて種々の変更が可能である。例えば、線条体３，５は、上記実施形態のように連結棒２１，２３とチェーン２７で構成する以外にも、ひも、ワイヤなど種々の構成が可能である。例えばチェーンのみで構成することもできる。
【００２８】
また、連結具７は、上記構成以外であってもよく、線条体に沿って移動可能に係合するような構成を有するとともに、任意の位置で線条体に対して固定できるような構成であれば、特には限定されない。例えば、連結具７は、筒状の基部３３に孔３９を形成してチェーン２９が孔３９を通るようにして係合させているが、例えば、溝を形成し、これにチェーンがスライド可能に嵌るように構成することもできる。そして、任意の固定機構により、チェーンを溝に固定できればよい。例えば、チェーンの穴に係止部材をはめ込んで固定したり、種々の方法で固定することができる。また、フック９の構成も特には限定されず、所定の固定物に吊り掛けたり固定できるような構成であれば特には限定されない。
【図面の簡単な説明】
【００２９】
【図１】本発明に係る物干し器の一実施形態を示す側面図である。
【図２】図１の物干し器の平面図である。
【図３】図１の物干し器に用いられる連結具の斜視図である。
【図４】連結具の横断面図である。
【図５】連結具の縦断面図である。
【図６】図１の物干し器を壁に掛けたときの側面図である。
【図７】図６の物干し器の平面図である。
【符号の説明】
【００３０】
１    物干し本体
３    第１線条体
５    第２線条体
７    連結具
９    フック（吊掛具）
３３  基部
３４  内管
３５  外管
３７  外管孔
３９  内管孔
【図１】
2007143891.tif 000003
【図２】
2007143891.tif 000004
【図３】
2007143891.tif 000005
【図４】
2007143891.tif 000006
【図５】
2007143891.tif 000007
【図６】
2007143891.tif 000008
【図７】
2007143891.tif 000009